(57)【要約】【課題】  屋外に設置されたエレベータにおいて、構造が簡単で且つ意匠性に優れるとともに、かご戸のかご室側側面に付着した水滴がかご室内へ侵入することを防止できるエレベータのかご戸装置を得る。【解決手段】  エレベータのかご室と、このエレベータのかご室内のかご室出入口側方に設けられた袖壁と、エレベータのかごのかご室出入口側に設けられたかご戸と、袖壁及びかご戸の間の固定体に設けられ、一端部がかご戸のかご室側側面に接触する雨水付着防止装置とを備える。【選択図】      図１
2005170591.tif 000002
【特許請求の範囲】
【請求項１】
エレベータのかご室と、このエレベータのかご室内のかご室出入口側方に設けられた袖壁と、エレベータのかごのかご室出入口側に設けられたかご戸と、前記袖壁及び前記かご戸の間の固定体に設けられ、一端部が前記かご戸のかご室側側面に接触する雨水付着防止装置とを備えたことを特徴とするエレベータのかご戸装置。
【請求項２】
雨水付着防止装置は、かご室出入口側に設けられ、かご戸のかご室側側面の上下方向全長に渡って接触することを特徴とした請求項１に記載のエレベータのかご戸装置。
【請求項３】
雨水付着防止装置は、袖壁を構成するパネルに設けられたことを特徴とする請求項１又は請求項２に記載のエレベータのかご戸装置。
【請求項４】
雨水付着防止装置は、ゴム製の水切りを備え、この水切りがかご戸のかご室側側面に接触することを特徴とする請求項１から請求項３の何れかに記載のエレベータのかご戸装置。
【請求項５】
雨水付着防止装置は、ブラシ状の水切りを備え、この水切りがかご戸のかご室側側面に接触することを特徴とする請求項１から請求項３の何れかに記載のエレベータのかご戸装置。
【請求項６】
かご戸は、全開時にその一端部がかごの外側に突出することを特徴とする請求項１から請求項５の何れかに記載のエレベータのかご戸装置。
【発明の詳細な説明】
【技術分野】
【０００１】
この発明は、屋外に設置されるエレベータのかご戸装置に関するものである。
【背景技術】
【０００２】
乗場が屋外に面して設置される従来のエレベータ装置には、雨水等が飛散して浸入することを防止する飛散水浸入防止装置として、乗かごのかごドア上部に配置され、このかごドアと並行するように延設されるとともに、長手方向の一端が他端より下方に位置するよう傾斜して取付けられる乗かご側飛散浸入防止部材と、各階床の乗場ドア上部に配置され、この乗場ドアと並行するように延設されるとともに、乗かご側飛散浸入防止部材と対向可能なように傾斜して取付けられる乗場側飛散浸入防止部材とを備えたものがある（例えば、特許文献１参照）。
【０００３】
【特許文献１】特開２００２−３６２８６９号公報
【発明の開示】
【発明が解決しようとする課題】
【０００４】
特許文献１記載のエレベータの飛散水浸入防止装置では、かごが乗場に停止してかご戸及び乗場の戸が開いた際に、かご戸上部に設置されたかご側飛散浸入防止部材と乗場の戸上部に設置された乗場側飛散浸入防止部材とが互いに対向するように配置されているため、かごと乗場との間に形成された上部間隙を実質的に塞ぐことができる。したがって、かごと乗場との間に雨水等の飛散水が落下浸入することを防止でき、乗降する乗客に雨水等の飛散水が掛かる恐れがなくなる。しかし、図４に示すように、屋外に設置されたエレベータ装置では、かご室出入口１ａを広く設けるために袖壁２ｂの幅に制限が生じてしまう場合等に、かご戸３の全開時に、かご戸３の一端部がかごの外側へ突出してしまうことがあった。このような場合には、降雨時に雨水６等によってかご戸３のかご室１側側面に水滴が付着し、戸閉によって水滴がかご室１内に運ばれてしまうため、かご室１の床面に水滴が滴ったり、かご戸３に接触することによってかご室１内の乗客の衣服に水滴が付着してしまったりするという問題が生じていた。
【０００５】
また、図５に示すように、かごの外側へ突出する雨水付着防止カバー７を設置して、かご戸３の全開時にかご室１側側面に水滴が付着しないような対策を施したものも考えられているが、この雨水付着防止カバー７は、かご戸３の種類やかごの外側への突出量等に応じて設計する必要があるため、コスト高になるとともに、戸閉時にもかごの外側へ突出したままの状態となるため、意匠性を損ねるという問題があった。特に、かご戸３の全開時にその一端部がかごの外側に大きく突出する場合には、雨水付着防止カバー７も大形になるため、コスト高になるとともにかごの重量が増加してエレベータ装置全体に大きな負荷が作用してしまうという問題も生じていた。
【０００６】
この発明は、上述のような課題を解決するためになされたもので、その目的は、屋外に設置されたエレベータにおいて、構造が簡単で且つ意匠性に優れるとともに、かご戸のかご室側側面に付着した水滴がかご室内へ侵入することを防止できるエレベータのかご戸装置を提供することである。
【課題を解決するための手段】
【０００７】
この発明に係るエレベータのかご戸装置は、エレベータのかご室と、このエレベータのかご室内のかご室出入口側方に設けられた袖壁と、エレベータのかごのかご室出入口側に設けられたかご戸と、袖壁及びかご戸の間の固定体に設けられ、一端部がかご戸のかご室側側面に接触する雨水付着防止装置とを備えたものである。
【発明の効果】
【０００８】
この発明は、エレベータのかご室と、このエレベータのかご室内のかご室出入口側方に設けられた袖壁と、エレベータのかごのかご室出入口側に設けられたかご戸と、袖壁及びかご戸の間の固定体に設けられ、一端部がかご戸のかご室側側面に接触する雨水付着防止装置とを備える構成としたことで、屋外に設置されたエレベータにおいて、構造が簡単で且つ意匠性に優れるとともに、かご戸のかご室側側面に付着した水滴がかご室内へ侵入することを防止することができる。
【発明を実施するための最良の形態】
【０００９】
図１は、この発明におけるエレベータのかご戸装置の平面断面図である。図において、エレベータのかご室１のかご側壁は、両端部がそれぞれコ字状に曲成された複数のパネル２ａから構成されている。また、エレベータのかご室１内のかご室出入口１ａ側方に設けられ、かご操作盤（図示せず）が設置された袖壁は、パネル２ｂから構成されている。このパネル２ｂは、袖壁となる面の両端部が乗場側にＬ字状に曲成されており、かご側壁側一端部は、パネル２ａの端部と係合し、かご室１から見えないように固定されている。パネル２ｂのかご室出入口１ａ側他端部は、さらにコ字状に曲成され、このコ字状部のかご室出入口１ａ側側面と対向する面に後述するかご戸３のかご室１側側面に一端部が接触する雨水付着防止装置４が固定されている。なお、この雨水付着防止装置４が固定されているパネル２ｂのコ字状部の一面は、袖壁及びかご戸３の間に設けられた固定体に相当する。また、エレベータのかごのかご室出入口１ａ側には、パネル２ｂの袖壁と対向する面との間に僅かな間隙を有してかご戸３が設けられており、このかご戸３は、かご室出入口１ａ上方に設けられた戸開閉装置（図示せず）によって開閉動作が行われている。なお、図１は、かご戸３が全開にされた状態を示すものである。全開状態におけるかご戸３は、かご室出入口１ａ側一端面がパネル２ｂのかご室出入口１ａ側側面と略面一となり、他端部がかごの外側へ突出している。したがって、降雨時には、外側へ突出したかご戸３の他端部に雨水６が降り掛かるため、かご戸３のかご室１側側面には水滴が付着することになる。
以下、各実施の形態において、袖壁を構成するパネル２ｂに設けられた雨水付着防止装置４について詳細に説明する。
【００１０】
実施の形態１．
図２は、この発明の実施の形態１におけるエレベータのかご戸装置の要部詳細図である。図において、袖壁を構成するパネル２ｂのかご室出入口１ａ側他端部に形成されたコ字状を呈する部分の外側面には、ゴム製で板状の水切り４ａがボルト５によって締結固定されている。このかご室出入口１ａ近傍に設けられた水切り４ａは、かご戸３側一端部が、かご戸３のかご室１側側面の上下方向全長に渡って接触するように設けられ、かご戸３の開閉時にもかご戸３の進行方向に折れ曲がり、常にその角部若しくは側面部がかご戸３のかご室１側側面に接触するように構成されている。したがって、戸開時にかご戸３のかご室１側側面に付着した雨水６等の水滴は、戸閉時に水切り４ａに接触し、かご戸３から除去される。なお、実施の形態１では、雨水付着防止装置４は、水切り４ａのみから構成されている。
【００１１】
この発明の実施の形態１によれば、屋外に設置されたエレベータにおいて、戸開時に雨水６等の水滴がかご戸３のかご室１側側面に付着する場合でも、戸閉動作時に、かご戸３のかご室１側側面の上下方向全長に渡って接触する水切り４ａによって、水滴６が除去されるため、かご室１内部に水滴６が運ばれることがなく、かご室１の床面や乗客の衣服等に水滴が付着する恐れがなくなる。また、雨水付着防止装置４は、袖壁とかご戸３との間に設けられた固定体からなるパネル２ｂのコ字状部に設置することができるため、かごの外側に突出することはなく、また、かごの外側及びかご室１内から目に触れることもないため、意匠性の良いかご戸装置を提供することが可能である。したがって、戸開時にかご戸３の一端部がかごの外側に大きく突出してしまう場合、例えば、かご室出入口１ａの幅を広く設計する必要があり、構造上袖壁の幅に限界が生じる場合や、かご戸３の枚数を少なくするために個々のかご戸３の幅を大きくする場合等には、特に有効な手段となる。また、雨水付着防止装置４は、かご戸３の外側への突出量に関係なく設置することができるため、部品の共通化及び小型化を図ることができ、安価に提供することができる。
【００１２】
実施の形態２．
図３は、この発明の実施の形態２におけるエレベータのかご戸装置の要部詳細図である。図において、袖壁を構成するパネル２ｂのかご室出入口１ａ側他端部に形成されたコ字状を呈する部分の外側面には、かご戸３側一端部にブラシ状の水切り４ｂが設けられた保持部４ｃが、ボルト５によって締結固定されている。このかご室出入口１ａ近傍に設けられた水切り４ｂは、かご戸３側一端部が、かご戸３のかご室１側側面の上下方向全長に渡って接触するように設けられ、実施の形態１と同様に、かご戸３の開閉時にかご戸３の進行方向に折れ曲がり、常にその先端部がかご戸３のかご室１側側面に接触するように構成されている。したがって、戸開時にかご戸３のかご室１側側面に付着した雨水６等の水滴は、戸閉時に水切り４ｂに接触し、かご戸３から除去される。なお、実施の形態２では、雨水付着防止装置４は、保持部４ｃと水切り４ｂとから構成されている。
【００１３】
この発明の実施の形態２によれば、実施の形態１と同様に、かご戸３のかご室１側側面に付着した水滴を、戸閉時に袖壁とかご戸３との間のかご室出入口１ａ側に設けられたブラシ状の水切り４ｂによって、かご戸３のかご室１側側面から除去することができるため、かご室１の床面や乗客の衣服等に水滴が付着する恐れがなく、意匠性の良いかご戸装置を提供することが可能である。また、水切り４ｂがブラシ状であるため、かご戸３と水切り４ｂとの摩擦抵抗を小さくでき、戸開閉装置に大きな負荷を掛けることもない。
【００１４】
なお、この発明の実施の形態１では、雨水付着防止装置４はゴム製の水切り４ａのみから構成されているが、雨水付着防止装置４をパネル２ｂへ確実に固定するために、実施の形態２のように、ボルト５によってパネル２ｂに固定される部分に保持部を設け、この保持部にゴム製の水切り４ａを固定したり、水切り４ａを板状の固定板とパネル２ｂとの間に狭持してボルト５によって固定したりするように構成しても良い。
【図面の簡単な説明】
【００１５】
【図１】この発明におけるエレベータのかご戸装置の平面断面図である。
【図２】この発明の実施の形態１におけるエレベータのかご戸装置の要部詳細図である。
【図３】この発明の実施の形態２におけるエレベータのかご戸装置の要部詳細図である。
【図４】従来のエレベータのかご戸装置を示す図である。
【図５】雨水付着防止カバーが設けられた従来のエレベータのかご戸装置を示す図である。
【符号の説明】
【００１６】
１  かご室
１ａ  かご室出入口
２ａ、２ｂ  パネル
３  かご戸
４  雨水付着防止装置
４ａ、４ｂ  水切り
４ｃ  保持部
５  ボルト
６  雨水
７  雨水付着防止カバー
【図１】
2005170591.tif 000003
【図２】
2005170591.tif 000004
【図３】
2005170591.tif 000005
【図４】
2005170591.tif 000006
【図５】
2005170591.tif 000007